(57)【要約】  【課題】  通信装置のみでは対応できない機能を、該当する機能を有する他の機器で実行させる利便性に優れた通信装置および通信システムを提供する。  【解決手段】  記憶装置１６、電話機制御装置１７、音声処理装置１８、ネットワークインタフェース１９、表示駆動装置２０、キーインタフェース２１有する通信装置２（ＩＰ電話機９）と、ドアホン室内装置３と、カメラ付きドアホン４と、テレビ５と、ビデオ６およびホームゲートウェイ（ＨＧＷ）７とを備え、カメラ付きドアホン４との音声通話は、通信装置２が実行し、通信装置２が持たない画像表示をテレビ５で実行させる。【選択図】  図１
2005192086.tif 000002
【特許請求の範囲】
【請求項１】
受信側の装置にない機能を少なくとも一つを備えた送信側の装置からの着信通知を受信する受信手段と、着信通知を受信した後に、装置毎に備えた機能を示す機能情報を管理するサーバにアクセスし、機能情報を取得する機能情報取得手段と、装置の有する機能を実行する機能実行手段と、機能の実行中または機能の実行後、受信側の装置にない機能を実行させるために該当する機能を備えた他の装置に、機能を実行させる指示をする指示手段と、を備えたことを特徴とする通信装置。
【請求項２】
宅内に設置され、受信側の装置を呼び出す呼出機能、通話機能を有する受信側の装置と通話を実行する通話機能、カメラを介して撮影する撮影機能を備えた映像撮影装置からの呼出通知を受信する受信手段と、呼出通知を受信した後に、機能情報を管理するサーバにアクセスし、機能情報を取得する機能情報取得手段と、前記映像撮影装置と通話を実行する通話手段と、通話中または通話後に前記映像撮影装置で撮像した映像を画像表示装置に転送させる指示を行う指示手段と、を備えたことを特徴とする通信装置。
【請求項３】
通信装置を呼び出す呼出機能、通信装置と通話を行う通話機能、カメラを介して撮影する撮影機能を備えた映像撮影装置と、前記映像撮影装置と通話を行う通信装置と、前記通信装置からの指示に応じて前記映像撮影装置で撮影した映像を表示する画像表示装置と、前記画像表示装置、前記映像撮影装置および前記通信装置の機能情報を管理するサーバと、前記サーバ、前記画像表示装置、前記映像撮影装置および前記通信装置をＬＡＮで接続し、宅内に設置した通信システムであって、
前記通信装置は、前記映像撮影装置から呼出しを受けて通話を行うとともに、前記画像表示装置で映像を表示させる指示を前記画像表示装置に行い、
前記映像撮影装置は、前記画像表示装置からの送信要求に応じて撮影した映像を前記画像表示装置に送信することを特徴とする通信システム。
【請求項４】
通信装置を呼び出す呼出機能、通信装置と通話を行う通話機能、カメラを介して撮影する撮影機能を備えた映像撮影装置と、前記映像撮影装置と通話を行う通信装置と、前記通信装置からの指示に応じて前記映像撮影装置で撮影した映像を表示する画像表示装置と、前記画像表示装置、前記映像撮影装置および前記通信装置の機能情報を管理するサーバと、前記サーバ、前記画像表示装置、前記映像撮影装置および前記通信装置をＬＡＮで接続し、宅内に設置した通信システムであって、
前記通信装置は、前記映像撮影装置から呼出しを受けて通話を行うとともに、前記画像表示装置に映像を表示させる指示を前記映像撮影装置に行い、
前記映像撮影装置は、前記画像表示装置のアドレス情報を前記サーバから取得するとともに、取得したアドレス宛ての前記画像表示装置に撮影した映像を送信することを特徴とする通信システム。
【請求項５】
前記サーバは、ホームゲートウェイ装置に搭載されたＥＮＵＳサーバであることを特徴とする請求項３または請求項４記載の通信システム。
【発明の詳細な説明】
【技術分野】
【０００１】
本発明はＥＮＵＭ機能を利用し、通信装置（例えば、ＩＰ電話機）から内線番号の問合せに対して、内線番号に対応して他装置の有する機能情報をＮＡＰＴＲレコードとしてホームゲートウェイに格納し、ＮＡＰＴＲレコードの機能を通信装置で選択することにより、他装置相互間の接続や機能動作を実行可能な通信装置および通信システムに関する。
【背景技術】
【０００２】
近年、ＩＰネットワークサービスの急速な発展に伴って現在使用している電話番号一つだけで多様な通信サービス、例えば電子メール、一般電話機、インターネット電話機（以下、単にＩＰ電話機と称する）、ＦＡＸ及びインターネットＦＡＸ（以下、単にＩ−Ｆａｘと称する）等の多様なアプリケーション機能を使用することができるＥＮＵＭ機能が世界中で研究されている。
【０００３】
このようなＥＮＵＭ機能を備えたＤＮＳサーバは、電話番号及び、この電話番号に対応した多様な通信サービスに関わる宛先情報、例えばメールアドレス、一般電話番号、ＩＰ電話番号、ＦＡＸ番号やＩ−ＦＡＸ番号等のＵＲＩ(Uniform Resource Identifier)情報を記憶管理するテーブルを設けておき、例えば端末装置から問い合わせ対象の電話番号の通知を受けると、問い合わせ対象の電話番号に対応する宛先情報をテーブルから取得し、取得した宛先情報の内、端末装置に対応した通信サービスに関わる宛先情報を同端末装置に提供するものである（例えば、非特許文献１参照）。
【０００４】
また、ＤＮＳサーバ内の管理テーブルは、電話番号のユーザ側の承諾を受けて電話番号及び、電話番号に対応した様々な宛先情報（ＵＲＩ情報）を予め登録するものである。
【０００５】
例えば、端末装置から通信相手に対して電子メールを送信する場合、端末装置のユーザは、端末装置の電子メールアプリケーションを起動した状態で、電子メールアプリケーションのメール宛先に通信相手の電話番号を入力し、同メールの送信コマンドを実行する。
【０００６】
ＤＮＳサーバは、端末装置からの電話番号及び送信コマンドを受信すると、この電話番号に対応した電子メールアドレスを管理テーブルから検索し、検索した通信相手先の電子メールアドレスを端末装置に返信する。そして、端末装置のユーザは、ＤＮＳサーバからの通信相手の電子メールアドレスに基づいて通信相手への電子メール送信を行うことができる。
【０００７】
また、ＥＮＵＭ機能には、ＩＰ機器の機能毎にＮＡＰＴＲ（Naming Authority Pointer）レコードを登録し、電話番号をＥＮＵＭで引くと、電話番号のＩＰ機器に該当する全ての機能をＮＡＰＴＲレコードで表わすことができる。
【０００８】
このようなＥＮＵＭ機能を利用し、宅内にある通信装置間、あるいはＩＰ網に接続された通信装置間で通信を行うことが考えられてきている。
【０００９】
例えば、従来、ＩＰ電話機相互間で通話中に、ＦＡＸで資料や地図など送って通話をするのが理解が早く、確実な場合、Ｉ−ＦＡＸが発呼側および被呼側にあっても、発呼側または被呼側からＩ−ＦＡＸ相互間を接続し、ＦＡＸで資料や地図を送信した後、資料や地図を見ながら通話を行うのが現状である。
【００１０】
また、宅内に設置されたカメラ付きドアホンから呼出しがあり、リビングのドアホン本体にはハンドセットおよび画像モニターがあり、訪問者と通話しながら訪問者の顔や様子も確認できるが、例えば、２階の寝室に居てカメラ付きドアホンにＩＰ電話機で応答するような場合には、ＩＰ電話機に画像表示機能がないため、音声通話のみで応対せざるを得ない。
【非特許文献１】後藤滋樹、外１名、“インターネット電話とＥＮＵＭ（イーナム）”［ｏｎｌｉｎｅ］、２００２年１０月１８日、社団法人日本ネットワークインフォメーションセンター、［平成１５年１１月２５日検索］、インターネット＜ＵＲＬ： HYPERLINK "http://www.nic.ad.jp/ja/materials/after/20021018/ENUM20021018.PDF" http://www.nic.ad.jp/ja/materials/after/20021018/ENUM20021018.PDF＞
【発明の開示】
【発明が解決しようとする課題】
【００１１】
ＩＰ電話機で通話中にＩ−ＦＡＸで資料や地図などをＦＡＸ送信する場合には、一時通話を止めて、ＦＡＸ送信の一連の操作をしなければならないため、煩わしくなるととともに、使い勝手が悪くなる課題がある。
【００１２】
また、カメラ付きドアホンからの呼出しにＩＰ電話機で応答する場合には、訪問者の声と用件は音声で聞き取ることができるが、夜間の訪問などの場合には、顔などの映像が確認できないため、通話を切って失礼に当たる虞や、玄関の鍵を開けて後悔する虞もある。
【００１３】
この発明はこのような課題を解決するためになされたもので、その目的は通信装置のみでは対応できない機能を、この機能を有する他の機器で実行させる利便性に優れた通信装置および通信システムを提供することにある。
【課題を解決するための手段】
【００１４】
前記課題を解決するためこの発明に係る通信装置は、受信側の装置にない機能を少なくとも一つを備えた送信側の装置からの着信通知を受信する受信手段と、着信通知を受信した後に、装置毎に備えた機能を示す機能情報を管理するサーバにアクセスし、機能情報を取得する機能情報取得手段と、装置の有する機能を実行する機能実行手段と、機能の実行中または機能の実行後、受信側の装置にない機能を実行させるために該当する機能を備えた他の装置に、機能を実行させる指示をする指示手段とを備えたことを特徴とする。
【００１５】
この発明に係る通信装置は、受信側の装置にない機能を少なくとも一つを備えた送信側の装置からの着信通知を受信する受信手段と、着信通知を受信した後に、装置毎に備えた機能を示す機能情報を管理するサーバにアクセスし、機能情報を取得する機能情報取得手段と、装置の有する機能を実行する機能実行手段と、機能の実行中または機能の実行後、受信側の装置にない機能を実行させるために該当する機能を備えた他の装置に、機能を実行させる指示をする指示手段とを備えたので、通信装置にない機能は機能情報に基づいて他の装置を起動させて実現することができる。
【００１６】
また、この発明に係る通信装置は、宅内に設置され、受信側の装置を呼び出す呼出機能、通話機能を有する受信側の装置と通話を実行する通話機能、カメラを介して撮影する撮影機能を備えた映像撮影装置からの呼出通知を受信する受信手段と、呼出通知を受信した後に、機能情報を管理するサーバにアクセスし、機能情報を取得する機能情報取得手段と、映像撮影装置と通話を実行する通話手段と、通話中または通話後に映像撮影装置で撮像した映像を画像表示装置に転送させる指示を行う指示手段とを備えたことを特徴とする。
【００１７】
この発明に係る通信装置は、宅内に設置され、受信側の装置を呼び出す呼出機能、通話機能を有する受信側の装置と通話を実行する通話機能、カメラを介して撮影する撮影機能を備えた映像撮影装置からの呼出通知を受信する受信手段と、呼出通知を受信した後に、機能情報を管理するサーバにアクセスし、機能情報を取得する機能情報取得手段と、映像撮影装置と通話を実行する通話手段と、通話中または通話後に映像撮影装置で撮像した映像を画像表示装置に転送させる指示を行う指示手段とを備えたので、映像撮影装置（例えば、カメラ付きドアホン）との音声通話は、装置（例えば、ＩＰ電話機）が実行し、映像撮影装置からの映像は、機能情報に基づいて画像表示装置（例えば、テレビ）に表示させることができる。
【００１８】
さらに、この発明に係る通信システムは、通信装置を呼び出す呼出機能、通信装置と通話を行う通話機能、カメラを介して撮影する撮影機能を備えた映像撮影装置と、映像撮影装置と通話を行う通信装置と、通信装置からの指示に応じて映像撮影装置で撮影した映像を表示する画像表示装置と、画像表示装置、映像撮影装置および通信装置の機能情報を管理するサーバと、サーバ、画像表示装置、映像撮影装置および通信装置をＬＡＮで接続し、宅内に設置した通信システムであって、通信装置は、映像撮影装置から呼出しを受けて通話を行うとともに、画像表示装置で映像を表示させる指示を画像表示装置に行い、映像撮影装置は、画像表示装置からの送信要求に応じて撮影した映像を画像表示装置に送信することを特徴とする。
【００１９】
この発明に係る通信システムは、通信装置を呼び出す呼出機能、通信装置と通話を行う通話機能、カメラを介して撮影する撮影機能を備えた映像撮影装置（例えば、カメラ付きドアホン）と、映像撮影装置と通話を行う通信装置（例えば、ＩＰ電話機）と、通信装置からの指示に応じて映像撮影装置で撮影した映像を表示する画像表示装置（例えば、テレビ）と、画像表示装置、映像撮影装置および通信装置の機能情報（ＮＡＰＴＲレコード）を管理するサーバ（例えば、ホームゲートウェイ）と、サーバ、画像表示装置、映像撮影装置および通信装置をＬＡＮで接続し、宅内に設置した通信システムであって、通信装置は、映像撮影装置から呼出しを受けて通話を行うとともに、画像表示装置で映像を表示させる指示を画像表示装置に行い、映像撮影装置は、画像表示装置からの送信要求に応じて撮影した映像を画像表示装置に送信するので、通信装置（ＩＰ電話機）で機能を選択し、画像表示装置の内線番号および映像撮影装置の内線番号を入力するだけで、画像表示装置（テレビ）に映像撮影装置（カメラ付きドアホン）からの映像を表示させて、通信装置にない映像表示機能を画像表示装置（テレビ）で実現することができる。
【００２０】
また、この発明に係る通信システムは、通信装置を呼び出す呼出機能、通信装置と通話を行う通話機能、カメラを介して撮影する撮影機能を備えた映像撮影装置と、映像撮影装置と通話を行う通信装置と、通信装置からの指示に応じて映像撮影装置で撮影した映像を表示する画像表示装置と、画像表示装置、映像撮影装置および通信装置の機能情報を管理するサーバと、サーバ、画像表示装置、映像撮影装置および通信装置をＬＡＮで接続し、宅内に設置した通信システムであって、通信装置は、映像撮影装置から呼出しを受けて通話を行うとともに、画像表示装置に映像を表示させる指示を映像撮影装置に行い、映像撮影装置は、画像表示装置のアドレス情報をサーバから取得するとともに、取得したアドレス宛ての画像表示装置に撮影した映像を送信することを特徴とする。
【００２１】
この発明に係る通信システムは、通信装置を呼び出す呼出機能、通信装置と通話を行う通話機能、カメラを介して撮影する撮影機能を備えた映像撮影装置と、映像撮影装置と通話を行う通信装置と、通信装置からの指示に応じて映像撮影装置で撮影した映像を表示する画像表示装置と、画像表示装置、映像撮影装置および通信装置の機能情報を管理するサーバと、サーバ、画像表示装置、映像撮影装置および通信装置をＬＡＮで接続し、宅内に設置した通信システムであって、通信装置は、映像撮影装置から呼出しを受けて通話を行うとともに、画像表示装置に映像を表示させる指示を映像撮影装置に行い、映像撮影装置は、画像表示装置のアドレス情報をサーバから取得するとともに、取得したアドレス宛ての画像表示装置に撮影した映像を送信するので、通信装置（ＩＰ電話機）で機能を選択し、映像撮影装置の内線番号を入力するだけで、画像表示装置（テレビ）に映像撮影装置（カメラ付きドアホン）からの映像を表示させて、通信装置にない映像表示機能を画像表示装置（テレビ）で実現することができる。
【００２２】
さらに、この発明に係るサーバは、ホームゲートウェイ装置に搭載されたＥＮＵＳサーバであることを特徴とする。
【００２３】
この発明に係るサーバは、ホームゲートウェイ装置に搭載されたＥＮＵＳサーバであるので、ＮＡＰＴＲ記憶領域に内線番号と関連付けた機能のＮＡＰＴＲレコードを格納し、ＮＡＰＴＲレコードを指示することにより、機能を実現することができる。
【発明の効果】
【００２４】
この発明に係る通信装置は、受信側の装置にない機能を少なくとも一つを備えた送信側の装置からの着信通知を受信する受信手段と、着信通知を受信した後に、装置毎に備えた機能を示す機能情報を管理するサーバにアクセスし、機能情報を取得する機能情報取得手段と、装置の有する機能を実行する機能実行手段と、機能の実行中または機能の実行後、受信側の装置にない機能を実行させるために該当する機能を備えた他の装置に、機能を実行させる指示をする指示手段とを備えたので、通信装置にない機能は機能情報に基づいて他の装置を起動させて実現することができ、単純な構成で機能拡張性を自在にコントロールすることができる。
【００２５】
また、この発明に係る通信装置は、宅内に設置され、受信側の装置を呼び出す呼出機能、通話機能を有する受信側の装置と通話を実行する通話機能、カメラを介して撮影する撮影機能を備えた映像撮影装置からの呼出通知を受信する受信手段と、呼出通知を受信した後に、機能情報を管理するサーバにアクセスし、機能情報を取得する機能情報取得手段と、映像撮影装置と通話を実行する通話手段と、通話中または通話後に映像撮影装置で撮像した映像を画像表示装置に転送させる指示を行う指示手段とを備えたので、映像撮影装置（例えば、カメラ付きドアホン）との音声通話は、装置（例えば、ＩＰ電話機）が実行し、映像撮影装置からの映像は、機能情報に基づいて画像表示装置（例えば、テレビ）に表示させることができ、必要な機能を有する機器をコントロールして機能の拡充を実現することができる。
【００２６】
さらに、この発明に係る通信システムは、通信装置を呼び出す呼出機能、通信装置と通話を行う通話機能、カメラを介して撮影する撮影機能を備えた映像撮影装置（例えば、カメラ付きドアホン）と、映像撮影装置と通話を行う通信装置（例えば、ＩＰ電話機）と、通信装置からの指示に応じて映像撮影装置で撮影した映像を表示する画像表示装置（例えば、テレビ）と、画像表示装置、映像撮影装置および通信装置の機能情報（ＮＡＰＴＲレコード）を管理するサーバ（例えば、ホームゲートウェイ）と、サーバ、画像表示装置、映像撮影装置および通信装置をＬＡＮで接続し、宅内に設置した通信システムであって、通信装置は、映像撮影装置から呼出しを受けて通話を行うとともに、画像表示装置で映像を表示させる指示を画像表示装置に行い、映像撮影装置は、画像表示装置からの送信要求に応じて撮影した映像を画像表示装置に送信するので、通信装置（ＩＰ電話機）で機能を選択し、画像表示装置の内線番号および映像撮影装置の内線番号を入力するだけで、画像表示装置（テレビ）に映像撮影装置（カメラ付きドアホン）からの映像を表示させて、通信装置にない映像表示機能を画像表示装置（テレビ）で実現することができ、必要な機能を増加して利便性の向上を図ることができる。
【００２７】
また、この発明に係る通信システムは、通信装置を呼び出す呼出機能、通信装置と通話を行う通話機能、カメラを介して撮影する撮影機能を備えた映像撮影装置と、映像撮影装置と通話を行う通信装置と、通信装置からの指示に応じて映像撮影装置で撮影した映像を表示する画像表示装置と、画像表示装置、映像撮影装置および通信装置の機能情報を管理するサーバと、サーバ、画像表示装置、映像撮影装置および通信装置をＬＡＮで接続し、宅内に設置した通信システムであって、通信装置は、映像撮影装置から呼出しを受けて通話を行うとともに、画像表示装置に映像を表示させる指示を映像撮影装置に行い、映像撮影装置は、画像表示装置のアドレス情報をサーバから取得するとともに、取得したアドレス宛ての画像表示装置に撮影した映像を送信するので、通信装置（ＩＰ電話機）で機能を選択し、映像撮影装置の内線番号を入力するだけで、画像表示装置（テレビ）に映像撮影装置（カメラ付きドアホン）からの映像を表示させて、通信装置にない映像表示機能を画像表示装置（テレビ）で実現することができ、簡単な操作で必要な機能を増加して利便性の向上を図ることができる。
【００２８】
さらに、この発明に係るサーバは、ホームゲートウェイ装置に搭載されたＥＮＵＳサーバであるので、ＮＡＰＴＲ記憶領域に内線番号と関連付けた機能のＮＡＰＴＲレコードを格納し、ＮＡＰＴＲレコードを指示することにより、機能を実現することができ、機能の拡張性ならびに利便性の向上を図ることができる。
【発明を実施するための最良の形態】
【００２９】
以下、この発明の実施の形態を添付図面に基づいて説明する。本発明に係る通信装置、例えばＩＰ電話機は、音声通話機能と単純な表示機能を備えたもので、自装置で表示することができない信号、例えばＦＡＸ信号をＩ−ＦＡＸから受信する場合に、ＥＮＵＭ機能の電話番号（例えば、ＦＡＸ番号）と対応したＦＡＸ受信機能の機能情報とをＮＡＰＴＲ（Naming Authority Pointer）レコードとしてサーバに予め登録して格納し、ＩＰ電話機の近くに配置されたＩ−ＦＡＸのＦＡＸ番号をＩＰ電話機から入力し、表示器に表示されたＮＡＰＴＲレコードのＦＡＸ受信機能を指示することにより、ＩＰ電話機で受信できないＦＡＸ信号をＩ−ＦＡＸに受信させてＦＡＸ画像を表示させるように構成するものである。
【００３０】
通信装置（例えば、ＩＰ電話機）は、受信側の装置（ＩＰ電話機）にない機能を少なくとも一つを備えた送信側の装置（例えば、Ｉ−ＦＡＸ）からの着信通知を受信する受信手段と、着信通知を受信した後に、装置毎に備えた機能を示す機能情報（ＮＡＰＴＲレコード）を管理するサーバにアクセスし、機能情報を取得する機能情報取得手段と、装置（ＩＰ電話機）の有する機能（音声通話機能）を実行する機能実行手段と、機能の実行中または機能の実行後、受信側の装置（ＩＰ電話機）にない機能を実行させるために該当する機能を備えた他の装置（Ｉ−ＦＡＸ）に、機能を実行させる指示をする指示手段とを備える。
【００３１】
ＩＰ電話機は、ＩＰ網の外線からの着信通知を受信手段で受信し、着信音を鳴動し、機能情報取得手段でサーバにアクセスし、サーバに電話番号と対応して管理されている機能情報であるＮＡＰＴＲレコードを取得して表示器に表示する。
【００３２】
また、ＩＰ電話機は、着信に応答して機能実行手段で外線のＩ−ＦＡＸ（通話機能がある場合）と音声通話を実行する。ＦＡＸ信号が送信されてくる場合には、表示器に表示されたＩ−ＦＡＸ（ＩＰ電話機の近く設置されている）の表示、例えば「ＦＡＸ受信」を指示手段で選択して指示すると、ＩＰ電話機の近くにあるＩ−ＦＡＸと外線のＩ−ＦＡＸが接続されて、外線のＦＡＸ信号をＦＡＸ機能のないＩＰ電話機に代わってＩＰ電話機の近くにあるＩ−ＦＡＸに受信させることができる。
【００３３】
これにより、ＩＰ電話機は、自装置が持たない機能を、該当する機能を有する他の装置で代行させるリモコン機能をもつことになり、電話機に様々な機能を持たせて多機能化して大規模化しなくても、多くの機能を代行させて多機能化を実現することができる。
【００３４】
このように、この発明に係る通信装置（例えば、ＩＰ電話機）は、受信側の装置（ＩＰ電話機）にない機能を少なくとも一つを備えた送信側の装置（例えば、Ｉ−ＦＡＸ）からの着信通知を受信する受信手段と、着信通知を受信した後に、装置毎に備えた機能を示す機能情報（ＮＡＰＴＲレコード）を管理するサーバにアクセスし、機能情報を取得する機能情報取得手段と、装置（ＩＰ電話機）の有する機能（音声通話機能）を実行する機能実行手段と、機能の実行中または機能の実行後、受信側の装置（ＩＰ電話機）にない機能を実行させるために該当する機能を備えた他の装置（Ｉ−ＦＡＸ）に、機能を実行させる指示をする指示手段とを備えたので、通信装置（ＩＰ電話機）にない機能は機能情報に基づいて他の装置を起動させて実現することができ、単純な構成で機能拡張性を自在にコントロールすることができる。
【００３５】
次に、この発明に係る通信装置および通信システムを宅内に構築した場合について説明する。図１はこの発明に係る通信システムの一実施の形態ブロック構成図である。なお、本実施の形態では、カメラ付きドアホン４からの呼出しに通信装置２（例えば、ＩＰ電話機）で応答し、音声通話を行うが、訪問者の顔や様子を知りたい場合、通信装置２には画像表示機能がないので、画像表示をテレビ５に指示し、テレビ５に画像表示しながら音声通話を実行するものである。図１において、通信システム１は、通信装置２、ドアホン室内装置３、カメラ付きドアホン４、テレビ５、ビデオ６およびホームゲートウェイ（ＨＧＷ）７を備え、宅内ＬＡＮ８を介して相互に接続する。
【００３６】
ドアホン室内装置３およびカメラ付きドアホン４は、通常のドアホン設備に送受信機能を持たせてＩＰ化したものであり、ドアホン室内装置３はリビング、カメラ付きドアホン４は、玄関に配置する。
【００３７】
テレビ５およびビデオ６は、通常の家電機器に送受信機能を持たせてＩＰ化したものであり、例えばテレビ５は、２階の寝室に通信装置２とともに配置し、ビデオ６は、リビングに他のテレビとともに配置する。また、ホームゲートウェイ（ＨＧＷ）７は、屋内の目立たない場所に配置する。
【００３８】
また、通信装置２、カメラ付きドアホン４、テレビ５およびビデオ６には、それぞれ宅内独自の内線番号「１１」、「１４」、「１２」、「１３」を付与し、内線番号および対応する機能の機能情報をＮＡＰＴＲレコードとしてホームゲートウェイ（ＨＧＷ）７に予め登録する。
【００３９】
通信装置２は、一般的なＩＰ電話機で構成し、音声通話機能および他の装置（テレビ５、ビデオ６）の機能を指定して動作させるリモコンの役割を果たす。
【００４０】
図２はこの発明に係るＩＰ電話機の一実施の形態要部外観図、図３はこの発明に係るＩＰ電話機の一実施の形態要部ブロック構成図である。図２において、ＩＰ電話機９は、音声通話を行うハンドセット１０、ＬＣＤ表示素子で構成し、ホームゲートウェイ（ＨＧＷ）７から提供されるＮＡＰＴＲレコードを表示する表示器１１、表示されたＮＡＰＴＲレコードから目的の機能情報を選択する選択キー１２、ＥＮＵＭ機能の情報を取得するＥＮＵＭキー１３、選択キー１２で選択したＮＡＰＴＲレコードの機能情報をＥＮＵＭ指定する設定キー１４、外線の電話番号や内線番号を操作するダイヤルキー１５を備える。
【００４１】
図３において、ＩＰ電話機９は、記憶装置１６、電話機制御装置１７、音声処理装置１８、ネットワークインタフェース１９、表示駆動装置２０、キーインタフェース２１を備え、制御バスＢＵＳを介して相互に接続する。
【００４２】
記憶装置１６は、ＲＯＭやＲＡＭ等のメモリで構成し、装置の動作プログラミングやホームゲートウェイ（ＨＧＷ）７から提供される機能情報（ＮＡＰＴＲレコード）を記憶し、記憶した機能情報（ＮＡＰＴＲレコード）を電話機制御装置１７の制御によって表示駆動装置２０を介して表示器１１に表示させる。
【００４３】
電話機制御装置１７は、マイクロプロセッサを基本に各種処理機能、演算機能、制御機能を備え、ＩＰ電話機９全体の動作を制御する。
【００４４】
電話機制御装置１７は、ホームゲートウェイ（ＨＧＷ）７から提供されるＮＡＰＴＲレコードを記憶装置１６に記憶させるとともに、ＮＡＰＴＲレコードを表示駆動装置２０を介して表示器１１に表示させる。
【００４５】
また、電話機制御装置１７は、キーインタフェース２１から供給される選択キー１２、ＥＮＵＭキー１３、設定キー１４およびダイヤルキー１５のキー情報に基づいて処理を実行して、処理した制御情報をネットワークインタフェース１９を介してホームゲートウェイ（ＨＧＷ）７に送信させるとともに、キー情報を表示駆動装置２０を介して表示器１１に表示させる制御を実行する。
【００４６】
音声処理装置１８は、アナログの送話信号をＩＰ信号に変換するとともに、ＩＰ信号をアナログの受話信号に変換した音声信号の処理を行い、ハンドセット１０を用いて通話を実行する。
【００４７】
ネットワークインタフェース１９は、ホームゲートウェイ（ＨＧＷ）７との間でキー情報や機能情報（ＮＡＰＴＲレコード）のインタフェースを取り、電話機制御装置１７からの制御情報をホームゲートウェイ（ＨＧＷ）７に送信する。
【００４８】
表示駆動装置２０は、電話機制御装置１７の制御により、キーインタフェース２１からのキー情報およびホームゲートウェイ（ＨＧＷ）７からネットワークインタフェース１９を介して提供される機能情報（ＮＡＰＴＲレコード）を駆動信号に変換し、駆動信号を表示器１１に供給して表示させる。
【００４９】
キーインタフェース２１は、選択キー１２、ＥＮＵＭキー１３、設定キー１４およびダイヤルキー１５のキー情報を電話機制御装置１７に提供する。
【００５０】
なお、電話機制御装置１７およびネットワークインタフェース１９は、宅内の装置（例えば、カメラ付きドアホン４）からの受信通知を受信する受信手段を構成し、電話機制御装置１７は、機能情報（ＮＡＰＴＲレコード）を取得する機能情報取得手段を構成し、電話機制御装置１７および音声処理装置１８は、宅内の装置（例えば、カメラ付きドアホン４）と通話を実行する通話手段を構成し、記憶装置１６および電話機制御装置１７は、宅内の装置（例えば、カメラ付きドアホン４）からの信号（例えば、映像）を宅内の他の装置（例えば、テレビ５）に転送させる指示を実行する指示手段を構成する。
【００５１】
このような構成により、ＩＰ電話機９は、ＩＰ電話機９を呼び出す呼出機能、通話機能を有するＩＰ電話機９と通話を実行する通話機能、カメラを介して撮影する撮影機能を備えたカメラ付きドアホン４からの呼出通知を受信する受信手段と、呼出通知を受信した後に、機能情報を管理するサーバ（ホームゲートウェイ（ＨＧＷ）７）にアクセスし、機能情報（ＮＡＰＴＲレコード）を取得する機能情報取得手段と、カメラ付きドアホン４と通話を実行する通話手段と、通話中または通話後にカメラ付きドアホン４で撮像した映像をテレビ５に転送させる指示を行う指示手段とを備えたので、カメラ付きドアホン４との音声通話は、通信装置２（ＩＰ電話機９）が実行し、カメラ付きドアホン４からの映像は、機能情報に基づいてテレビ５に表示させることができる。
【００５２】
このように、この発明に係る通信装置２（ＩＰ電話機９）は、宅内に設置され、受信側の装置（通信装置２）を呼び出す呼出機能、通話機能を有する受信側の装置と通話を実行する通話機能、カメラを介して撮影する撮影機能を備えた映像撮影装置からの呼出通知を受信する受信手段と、呼出通知を受信した後に、機能情報を管理するサーバにアクセスし、機能情報を取得する機能情報取得手段と、映像撮影装置（カメラ付きドアホン４）と通話を実行する通話手段と、通話中または通話後に映像撮影装置で撮像した映像を画像表示装置（テレビ５）に転送させる指示を行う指示手段とを備えたので、映像撮影装置との音声通話は、装置（ＩＰ電話機９）が実行し、映像撮影装置（カメラ付きドアホン４）からの映像は、機能情報（ＮＡＰＴＲレコード）に基づいて画像表示装置（テレビ５）に表示させることができ、必要な機能を有する機器をコントロールして機能の拡充を実現することができる。
【００５３】
ドアホン室内装置３は、カメラ付きドアホン４と対をなし、音声通話機能および画像表示（モニター）機能を備え、カメラ付きドアホン４からの呼出しに応答し、訪問者と音声通話を行うともに、訪問者の顔や様子を画像でモニターする。
【００５４】
また、ドアホン室内装置３は、設定によりカメラ付きドアホン４からの呼出しをドアホン室内装置３および通信装置２のいずれか一方または双方に切替えることができ、通常はドアホン室内装置３、夜間などは通信装置２に設定する。
【００５５】
カメラ付きドアホン４は、受信側の装置（例えば、通信装置２）を呼び出す呼出機能、通話機能を有する受信側の装置（例えば、通信装置２）と通話を実行する通話機能、カメラを介して撮影する撮影機能を備える。なお、呼出機能、通話機能および撮影機能は、ＩＰ化されたインタフェース部、マイクおよびスピーカ、通話回路を有するハンズフリー、カメラと映像信号処理回路などで構成し、音声信号および映像信号を出力する。
【００５６】
テレビ５は、音声信号および画像信号の受信機能、音声および画像の生成機能のテレビ機能に、音声信号および画像信号をＩＰ信号化して宅内ＬＡＮ８に送信する機能、宅内ＬＡＮ８からのＩＰ信号化の音声信号および画像信号を通常の音声信号および画像信号に変換して音声を発生し、画像を生成する機能を備える。
【００５７】
ビデオ６は、音声信号および画像信号の録画・録音機能および再生機能のビデオ機能に、再生した音声信号および画像信号をＩＰ信号化して宅内ＬＡＮ８に送信する機能、宅内ＬＡＮ８からのＩＰ信号化の音声信号および画像信号を通常の音声信号および画像信号に変換して録画・録音する録画・録音機能を備える。
【００５８】
ホームゲートウェイ（ＨＧＷ）７は、通信装置２、カメラ付きドアホン４、制御装置５およびビデオ６の内線番号と対応する機能を記載した機能情報（ＮＡＰＴＲレコード）を予め登録して格納したＮＡＰＴＲ記憶領域を有し、通信装置２（ＩＰ電話機９）から内線番号が指定されると、内線番号に含まれる機能情報を通信装置２（ＩＰ電話機９）に提供する。
【００５９】
また、ホームゲートウェイ（ＨＧＷ）７は、通信装置２、カメラ付きドアホン４、テレビ５およびビデオ６相互間の接続を制御し、あたかも通信装置２、カメラ付きドアホン４、テレビ５およびビデオ６を内線端末とする構内交換機の役割を果たす。
【００６０】
図４はこの発明に係るホームゲートウェイ（ＨＧＷ）の一実施の形態要部ブロック構成図である。図４において、ホームゲートウェイ（ＨＧＷ）７は、ネットワークインタフェース２２、入出力装置２３、ＨＧＷ制御装置２４および記憶装置２５を備え、制御バスＢＵＳを介して相互に接続する。
【００６１】
ネットワークインタフェース２２は、通信装置２との間で制御情報や機能情報（ＮＡＰＴＲレコード）のインタフェースを取り、記憶装置２５からの機能情報（ＮＡＰＴＲレコード）を通信装置２に送信する。
【００６２】
ＨＧＷ制御装置２４は、ホームゲートウェイ（ＨＧＷ）７全体の動作を制御し、通信装置２から送信されてくる制御情報（指示情報）に基づいてカメラ付きドアホン４、テレビ５およびビデオ６相互間を接続する。
【００６３】
また、ＨＧＷ制御装置２４は、記憶装置２５のＮＡＰＴＲ記憶領域１５ａに格納されている機能情報（ＮＡＰＴＲレコード）を呼び出してネットワークインタフェース２２を介して通信装置２に送信する制御を実行する。
【００６４】
記憶装置２５は、ＲＯＭやＲＡＭなどのメモリで構成し、ＮＡＰＴＲ記憶領域１５ａを備える。
【００６５】
図５はこの発明に係るＮＡＰＴＲ記憶領域の一実施の形態イメージ図である。図５において、ＮＡＰＴＲ記憶領域１５ａは、通信装置２（ＩＰ電話機９）、カメラ付きドアホン４、テレビ５およびビデオ６のそれぞれの内線番号「１１」、「１４」、「１４」および「１３」の機能に対応したＮＡＰＴレコード（機能情報）を記憶する。
【００６６】
例えば、内線番号「１１」（ＩＰ電話機）には、ＮＡＰＴレコード「△△△△△」（通常アクセス）を格納する。また、内線番号「１２」（テレビ）には、ＮＡＰＴレコード「○○○○○」（音声アクセス）、ＮＡＰＴレコード「○○○○□」（画像送信要求）、ＮＡＰＴレコード「○○○□□」（画像受信要求）を格納する。
【００６７】
次に、この発明に係る通信システムの接続動作について、接続手順図、接続状態図および表示画面遷移図で説明する。なお、通信システムの接続動作は、ＩＰ電話機９を用いてカメラ付きドアホン４からの映像を近くにあるテレビ５に表示させる場合で、２通りの接続動作を説明する。
【００６８】
まず、通信装置２からテレビ５に対して映像の受信指示を出し、続いて通信装置２からカメラ付きドアホン４に対して映像の送信指示を出すことにより、通信装置２で受信できない映像をカメラ付きドアホン４からテレビ５に送信させてテレビ５に画像表示させるようにするものである。
【００６９】
図６はこの発明に係る通信システムの一実施の形態接続手順図、図７はこの発明に係る通信システムの一実施の形態接続状態図、図８はこの発明に係る通信システムの一実施の形態表示画面遷移図である。
【００７０】
図６において、ステップＰ１で、ＥＮＵＭサーバ（ホームゲートウェイ（ＨＧＷ）７）に入力電話番号のＮＡＰＴＲレコードを問い合わせ、ＮＡＰＴＲレコードを取得する。
【００７１】
ステップＰ２で、カメラ付きドアホン４とＩＰ電話機９が音声通話し、ステップＰ３では、ＩＰ電話機９のＥＥＮＵＭキー１３を操作してＥＮＵＭを指示する。
【００７２】
ステップＰ４で、ＩＰ電話機９からテレビ５の内線番号「１２」を入力し、ステップＰ５では、ＥＮＵＭサーバ（ホームゲートウェイ（ＨＧＷ）７）に入力電話番号（内線番号「１２」）のＮＡＰＲＴレコードを問い合わせ、ＮＡＰＴＲレコードを取得する。
【００７３】
ステップＰ６で、ＩＰ電話機９の表示画面に表示された接続機能（画像受信要求）を選択し、ステップＰ７では、カメラ付きドアホン４の内線番号「１４」を入力する。
【００７４】
ステップＰ８では、ＥＮＵＭサーバ（ホームゲートウェイ（ＨＧＷ）７）に入力電話番号（内線番号「１４」）のＮＡＰＲＴレコードを問い合わせ、ＮＡＰＴＲレコードを取得し、表示画面に表示された接続機能（画像送信要求）を選択した後、テレビ５からカメラ付きドアホン４に画像取得処理を実行し、テレビ５の画面にカメラ付きドアホン４で撮影した画像を表示させる。
【００７５】
図７において、初めに、カメラ付きドアホン４がＩＰ電話機９を呼び出してカメラ付きドアホン４とＩＰ電話機９が通話状態に入る。次に、ＩＰ電話機９からテレビ５のＮＰＴＲレコードを選択し、テレビ５に画像取得指示を出す。
【００７６】
続いて、ＩＰ電話機９の指示で、テレビ５からカメラ付きドアホン４に画像送信要求を出し、カメラ付きドアホン４からテレビ５に画像を送信してテレビ５の画面に画像を表示させる。
【００７７】
図８において、ＩＰ電話機９とカメラ付きドアホン４が接続して通話状態にある（表示1)）。次に、選択キー１２を操作して「Ｖｉｄｅｏ」機能を選択する（表示2)、3)）。
【００７８】
続いて、テレビ５の内線番号「１２」を入力し、内線番号「１２」に対応したＮＡＰＴＲレコードの機能（「画像受信」、「音声受信」および「画像配信」）が表示されるので、選択キー１２で「画像受信」を選択して指示する（表示4)）。
【００７９】
次に、接続先内線番号を問い合わせてくる（表示5)）ので、内線番号「１４」を入力してカメラ付きドアホン４への接続指示をする（表示6)）。
【００８０】
このように、この発明に係る通信システム１は、通信装置２を呼び出す呼出機能、通信装置２と通話を行う通話機能、カメラを介して撮影する撮影機能を備えた映像撮影装置（例えば、カメラ付きドアホン４）と、映像撮影装置と通話を行う通信装置２（例えば、ＩＰ電話機９）と、通信装置２からの指示に応じて映像撮影装置（カメラ付きドアホン４）で撮影した映像を表示する画像表示装置（例えば、テレビ５）と、画像表示装置５、映像撮影装置４および通信装置２の機能情報（ＮＡＰＴＲレコード）を管理するサーバ（例えば、ホームゲートウェイ７）と、サーバ、画像表示装置、映像撮影装置および通信装置をＬＡＮで接続し、宅内に設置した通信システムであって、通信装置２は、映像撮影装置４から呼出しを受けて通話を行うとともに、画像表示装置５で映像を表示させる指示を画像表示装置５に行い、映像撮影装置４は、画像表示装置５からの送信要求に応じて撮影した映像を画像表示装置４に送信するので、通信装置２（ＩＰ電話機９）で機能を選択し、画像表示装置５の内線番号および映像撮影装置４の内線番号を入力するだけで、画像表示装置（テレビ５）に映像撮影装置（カメラ付きドアホン４）からの映像を表示させて、通信装置２にない映像表示機能を画像表示装置（テレビ５）で実現することができ、必要な機能を増加して利便性の向上を図ることができる。
【００８１】
続いて、通信装置２からカメラ付きドアホン４に対して映像の送信指示を出し、続いてカメラ付きドアホン４からテレビ５に対して映像の送信指示を出して映像を送信することにより、通信装置２で受信できない映像をカメラ付きドアホン４からテレビ５に送信させてテレビ５に画像表示させるようにするものである。
【００８２】
図９はこの発明に係る通信システムの別実施の形態接続手順図、図１０はこの発明に係る通信システムの別実施の形態接続状態図、図１１はこの発明に係る通信システムの別実施の形態表示画面遷移図である。
【００８３】
図９において、ステップＳ１で、ＥＮＵＭサーバ（ホームゲートウェイ（ＨＧＷ）７）に入力電話番号のＮＡＰＴＲレコードを問い合わせ、ＮＡＰＴＲレコードを取得する。
【００８４】
ステップＳ２で、カメラ付きドアホン４とＩＰ電話機９が音声通話し、ステップＳ３では、ＩＰ電話機９のＥＥＮＵＭキー１３を操作してＥＮＵＭを指示する。
【００８５】
ステップＳ４で、ＩＰ電話機９からカメラ付きドアホン４の表示画面に表示された接続機能（画像送信要求）を選択し、ステップＳ５では、テレビ５の内線番号「１２」を入力する。
【００８６】
ステップＳ６では、ＥＮＵＭサーバ（ホームゲートウェイ（ＨＧＷ）７）に入力電話番号（内線番号「１２」）のＮＡＰＲＴレコードを問い合わせ、ＮＡＰＴＲレコードを取得し、表示画面に表示された接続機能（画像受信要求）を選択した後、カメラ付きドアホン４からテレビ５に画像取得処理を実行し、テレビ５の画面にカメラ付きドアホン４で撮影した画像を表示させる。
【００８７】
図１０において、初めに、カメラ付きドアホン４がＩＰ電話機９を呼び出してカメラ付きドアホン４とＩＰ電話機９が通話状態に入る。次に、ＩＰ電話機９からカメラ付きドアホン４に画像送信指示を行う。
【００８８】
続いて、カメラ付きドアホン４からテレビ５に画像受信要求を出し、カメラ付きドアホン４からテレビ５に画像を送信してテレビ５の画面に画像を表示させる。
【００８９】
図１１において、ＩＰ電話機９はカメラ付きドアホン４に接続して通話状態にある（表示1)）。次に、選択キー１２を操作して「Ｖｉｄｅｏ」機能を選択する（表示2)、3)）。この時点で、接続先内線番号を問い合わせてくるので、内線番号「１４」を入力して接続指示をする（表示4)）。
【００９０】
このように、この発明に係る通信システム１は、通信装置２を呼び出す呼出機能、通信装置２と通話を行う通話機能、カメラを介して撮影する撮影機能を備えた映像撮影装置（例えば、カメラ付きドアホン４）と、映像撮影装置と通話を行う通信装置２（例えば、ＩＰ電話機９）と、通信装置２からの指示に応じて映像撮影装置（カメラ付きドアホン４）で撮影した映像を表示する画像表示装置（例えば、テレビ５）と、画像表示装置５、映像撮影装置４および通信装置２の機能情報（ＮＡＰＴＲレコード）を管理するサーバ（例えば、ホームゲートウェイ７）と、サーバ、画像表示装置、映像撮影装置および通信装置をＬＡＮで接続し、宅内に設置した通信システムであって、通信装置２は、映像撮影装置４から呼出しを受けて通話を行うとともに、画像表示装置５に映像を表示させる指示を映像撮影装置４に行い、映像撮影装置４は、画像表示装置５のアドレス情報をサーバから取得するとともに、取得したアドレス宛ての画像表示装置５に撮影した映像を送信するので、通信装置２で機能を選択し、映像撮影装置４の内線番号を入力するだけで、画像表示装置５に映像撮影装置４からの映像を表示させて、通信装置にない映像表示機能を画像表示装置で実現することができ、簡単な操作で必要な機能を増加して利便性の向上を図ることができる。
【００９１】
また、この発明に係るサーバは、ホームゲートウェイ（ＨＧＷ）７に搭載されたＥＮＵＳサーバであるので、ＮＡＰＴＲ記憶領域２５ａに内線番号と関連付けた機能のＮＡＰＴＲレコードを格納し、ＮＡＰＴＲレコードを指示することにより、機能を実現することができ、機能の拡張性ならびに利便性の向上を図ることができる。
【００９２】
図１２はこの発明に係る通信システムの一実施の形態シーケンス図である。なお、図１２は図６〜図８に対応する。カメラ付きドアホン４に訪問者からのドアホン着信があり、ＩＰ電話機９に着信通知を行う。ＩＰ電話機９はホームゲートウェイ（ＨＧＷ）７からＥＮＵＭ情報を取得し、カメラ付きドアホン４とＩＰ電話機９が音声通話の状態となる。
【００９３】
ＩＰ電話機９には、画像表示機能がないため、ＩＰ電話機９からホームゲートウェイ（ＨＧＷ）７にＥＮＵＭ指示を実行し、ＩＰ電話機９はホームゲートウェイ（ＨＧＷ）７からＥＮＵＭ情報を取得する。
【００９４】
続いて、ＩＰ電話機９はテレビ５に画像受信指示を行い、テレビ５からカメラ付きドアホン４に画像送信要求を行うと、カメラ付きドアホン４からテレビ５に映像信号が送られて画像をテレビ５に表示することができる。
【００９５】
図１３はこの発明に係る通信システムの別実施の形態シーケンス図である。なお、図１２は図９〜図１１に対応する。カメラ付きドアホン４に訪問者からのドアホン着信があり、ＩＰ電話機９に着信通知を行う。ＩＰ電話機９はホームゲートウェイ（ＨＧＷ）７からＥＮＵＭ情報を取得し、カメラ付きドアホン４とＩＰ電話機９が音声通話の状態となる。
【００９６】
ＩＰ電話機９には、画像表示機能がないため、ＩＰ電話機９からＥＮＵＭ指示を実行し、ＩＰ電話機９はカメラ付きドアホン４に画像送信要求を出す。
【００９７】
カメラ付きドアホン４からＥＮＵＭ指示を実行し、カメラ付きドアホン４からテレビ５に画像受信要求を実行した後、カメラ付きドアホン４からテレビ５に映像信号が送られて画像をテレビ５に表示することができる。
【産業上の利用可能性】
【００９８】
この発明に係る通信システムは、通信装置のみでは対応できない機能を、該当する機能を有する他の機器で実行させる利便性に優れたものであり、ＥＮＵＭ機能を用いたあらゆる通信システムに適用することができる。
【図面の簡単な説明】
【００９９】
【図１】この発明に係る通信システムの一実施の形態ブロック構成図
【図２】この発明に係るＩＰ電話機の一実施の形態要部外観図
【図３】この発明に係るＩＰ電話機の一実施の形態要部ブロック構成図
【図４】この発明に係るホームゲートウェイ（ＨＧＷ）の一実施の形態要部ブロック構成図
【図５】この発明に係るＮＡＰＴＲ記憶領域の一実施の形態イメージ図
【図６】この発明に係る通信システムの一実施の形態接続手順図
【図７】この発明に係る通信システムの一実施の形態接続状態図
【図８】この発明に係る通信システムの一実施の形態表示画面遷移図
【図９】この発明に係る通信システムの別実施の形態接続手順図
【図１０】この発明に係る通信システムの別実施の形態接続状態図
【図１１】この発明に係る通信システムの別実施の形態表示画面遷移図
【図１２】この発明に係る通信システムの一実施の形態シーケンス図
【図１３】この発明に係る通信システムの別実施の形態シーケンス図
【符号の説明】
【０１００】
１    通信システム
２    通信装置
３    ドアホン室内装置
４    カメラ付きドアホン
５    テレビ
６    ビデオ
７    ホームゲートウェイ（ＨＧＷ）
８    宅内ＬＡＮ
９    ＩＰ電話機
１０    ハンドセット
１１    表示器
１２    選択キー
１３    ＥＮＵＭキー
１４    設定キー
１５    ダイヤルキー
１６，２５    記憶装置
１７    電話機制御装置
１８    音声処理装置
１９，２２    ネットワークインタフェース
２０    表示駆動装置
２１    キーインタフェース
２３    入出力装置
２４    ＨＧＷ制御装置
２５ａ    ＮＡＰＴＲ記憶領域
ＢＵＳ    制御バス
【図１】
2005192086.tif 000003
【図２】
2005192086.tif 000004
【図３】
2005192086.tif 000005
【図４】
2005192086.tif 000006
【図５】
2005192086.tif 000007
【図６】
2005192086.tif 000008
【図７】
2005192086.tif 000009
【図８】
2005192086.tif 000010
【図９】
2005192086.tif 000011
【図１０】
2005192086.tif 000012
【図１１】
2005192086.tif 000013
【図１２】
2005192086.tif 000014
【図１３】
2005192086.tif 000015